(57)【特許請求の範囲】
【請求項１】
電気部品を載置する載置部を有するソケット本体と、該ソケット本体に取り付けられて前記電気部品の端子に離接可能な複数のコンタクトピンと、前記ソケット本体に上下動自在に設けられた四角形の枠形状の上部操作部材とを有し、
前記コンタクトピンには、前記端子に接触する可動接片が形成され、前記上部操作部材を上下動させることにより、前記可動接片が変位されて、前記端子に離接されるようにした電気部品用ソケットにおいて、
前記上部操作部材の対向する二辺の内側部、又は前記二辺と対応する前記ソケット本体外側部の少なくとも一方に、前記上部操作部材の下降途中位置から最下降位置まで他方に当接して、前記コンタクトピンからの反力による前記上部操作部材の内側への変形を抑える変形抑止リブを設けたことを特徴とする電気部品用ソケット。
【請求項２】
電気部品を載置する載置部を有するソケット本体と、該ソケット本体に取り付けられて前記電気部品の端子に離接可能な複数のコンタクトピンと、前記ソケット本体に上下動自在に設けられた四角形の枠形状の上部操作部材とを有し、
前記コンタクトピンには、前記端子に接触する可動接片が形成され、前記上部操作部材を上下動させることにより、前記可動接片が変位されて、前記端子に離接されるようにした電気部品用ソケットにおいて、
前記上部操作部材の対向する二辺の内側部、又は前記二辺と対応する前記ソケット本体外側部の少なくとも一方に、前記コンタクトピンからの反力による前記上部操作部材の内側への変形を抑える変形抑止リブが設けられ、該変形抑止リブは他方に向けて延長され、前記上部操作部材の最上昇位置においても他方に摺接していることを特徴とする電気部品用ソケット。
【請求項３】
前記変形抑止リブには、前記上部操作部材を降下させたときに、最初に他方に当接する面に傾斜面部、又はＲ面部が形成されていることを特徴とする請求項１に記載の電気部品用ソケット。
【請求項４】
前記変形抑止リブは、四角形の枠形状の上部操作部材の一辺の長手方向中央部に形成したことを特徴とする請求項１又は２に記載の電気部品用ソケット。
【発明の詳細な説明】
【０００１】
【発明の属する技術分野】
この発明は、半導体装置（以下「ＩＣパッケージ」という）等の電気部品を着脱自在に保持する電気部品用ソケット、特に、上部操作部材の変形を抑止するための改良がなされた電気部品用ソケットに関するものである。
【０００２】
【従来の技術】
従来からこの種の「電気部品用ソケット」としては、「電気部品」であるＩＣパッケージを着脱自在に保持するＩＣソケットがある。
【０００３】
このＩＣパッケージは、いわゆるガルウイングタイプと称されるもので、略直方体形状のパッケージ本体の相対向する２辺から側方に向けて「端子」である複数のＩＣリードがクランク状に突出している。
【０００４】
一方、ＩＣソケットは、ソケット本体に、ＩＣパッケージを載置する載置部が形成されると共に、直方体形状のＩＣパッケージを所定の位置に位置決めするガイド部が、このＩＣパッケージの各角部に対応して設けられている。また、載置部の周囲には、上方に突出する隔壁部が形成され、この隔壁部に複数のスリットが所定のピッチで形成されている。
【０００５】
また、このソケット本体には、ＩＣパッケージのＩＣリードに離接される弾性変形可能なコンタクトピンが複数配設されている。このコンタクトピンは、ＩＣリードに離接される可動接片を有し、この可動接片がＩＣパッケージのＩＣリードの上面に離接されるようになっている。そして、これら各コンタクトピンの可動接片が隔壁部の各スリットに上下動可能に挿入されている。
【０００６】
さらに、ソケット本体には、上部操作部材が上下動自在に配設され、この上部操作部材をコンタクトピンの付勢力等に抗して下降させることにより、この上部操作部材のカム部にて、コンタクトピンの操作片が外側に向けて押圧される。これにより、このコンタクトピンのバネ部が弾性変形されて前記ＩＣリードから可動接片が離間され、又、この上部操作部材が上昇されることにより、そのバネ部の弾性力にて可動接片が復帰して前記ＩＣリードの上面に接触してこれを上方から押さえると共に、コンタクトピンとＩＣリードとが導通されるようになっている。
【０００７】
【発明が解決しようとする課題】
しかしながら、このような従来のものにあっては、上部操作部材は四角形の枠形状を呈し、相対向する二辺にカム部が形成され、多数のコンタクトピンを弾性変形するようにしているため、これらコンタクトピンからの反力がその上部操作部材の２辺の全長に渡って作用することとなる。従って、各辺が内側に向けて撓んでしまう虞があり、特に各辺の中央部付近では、その撓みにより、コンタクトピンの開き量が不足してしまう虞がある。なお、この対策として、枠形状の上部操作部材の肉厚を厚くすることも考えられるが、装置の大型化，重量増加，コスト高等を招くことになり、好ましくない。
【０００８】
そこで、この発明は、装置の大型化等を招くことなく、コンタクトピンからの反力が作用しても上部操作部材の変形を抑止できる電気部品用ソケットを提供することを課題としている。
【０００９】
【課題を解決するための手段】
かかる課題を達成するために、請求項１に記載の発明は、電気部品を載置する載置部を有するソケット本体と、該ソケット本体に取り付けられて前記電気部品の端子に離接可能な複数のコンタクトピンと、前記ソケット本体に上下動自在に設けられた四角形の枠形状の上部操作部材とを有し、前記コンタクトピンには、前記端子に接触する可動接片が形成され、前記上部操作部材を上下動させることにより、前記可動接片が変位されて、前記端子に離接されるようにした電気部品用ソケットにおいて、前記上部操作部材の対向する二辺の内側部、又は前記二辺と対応する前記ソケット本体外側部の少なくとも一方に、前記上部操作部材の下降途中位置から最下降位置まで他方に当接して、前記コンタクトピンからの反力による前記上部操作部材の内側への変形を抑える変形抑止リブを設けた電気部品用ソケットとしたことを特徴とする。
【００１０】
請求項２に記載の発明は、電気部品を載置する載置部を有するソケット本体と、該ソケット本体に取り付けられて前記電気部品の端子に離接可能な複数のコンタクトピンと、前記ソケット本体に上下動自在に設けられた四角形の枠形状の上部操作部材とを有し、前記コンタクトピンには、前記端子に接触する可動接片が形成され、前記上部操作部材を上下動させることにより、前記可動接片が変位されて、前記端子に離接されるようにした電気部品用ソケットにおいて、前記上部操作部材の対向する二辺の内側部、又は前記二辺と対応する前記ソケット本体外側部の少なくとも一方に、前記コンタクトピンからの反力による前記上部操作部材の内側への変形を抑える変形抑止リブが設けられ、該変形抑止リブは他方に向けて延長され、前記上部操作部材の最上昇位置においても他方に摺接している電気部品用ソケットとしたことを特徴とする。
【００１１】
請求項３に記載の発明は、請求項１に記載の構成に加え、前記変形抑止リブには、前記上部操作部材を降下させたときに、最初に他方に当接する面に傾斜面部、又はＲ面部が形成されていることを特徴とする。
請求項４に記載の発明は、請求項１又は２に記載の構成に加え、前記変形抑止リブは、四角形の枠形状の上部操作部材の一辺の長手方向中央部に形成したことを特徴とする。
【００１２】
【発明の実施の形態】
以下、この発明の実施の形態について説明する。
【００１３】
［発明の実施の形態１］
図１乃至図６には、この発明の実施の形態１を示す。
【００１４】
まず構成を説明すると、図中符号１１は、「電気部品用ソケット」としてのＩＣソケットで、このＩＣソケット１１は、「電気部品」であるＩＣパッケージ１２の性能試験を行うために、このＩＣパッケージ１２の「端子」としてのＩＣリード１２ｂと、測定器（テスター）のプリント配線板（図示省略）との電気的接続を図るものである。
【００１５】
このＩＣパッケージ１２は、図１等に示すように、いわゆるガルウイングタイプと称されるもので、長方形状のパッケージ本体１２ａの対向する２辺から側方に向けて多数のＩＣリード１２ｂがクランク状に突出している。
【００１６】
一方、ＩＣソケット１１は、大略すると、プリント配線板上に装着されるソケット本体１３を有し、このソケット本体１３には、ＩＣパッケージ１２が上側に載置される載置部１３ａが形成されると共に、ＩＣパッケージ１２を所定の位置に位置決めするガイド部１３ｂがパッケージ本体１２ａの各角部に対応して設けられている。また、各ガイド部１３ｂの間で、載置部１３ａの周囲の対向する２辺には隔壁部１３ｃが形成され、この隔壁部１３ｃには多数のスリット１３ｄが所定の間隔で形成されている。
【００１７】
また、このソケット本体１３には、ＩＣリード１２ｂに離接される弾性変形可能なコンタクトピン１５が複数配設されると共に、これらコンタクトピン１５を弾性変形させる四角形の枠状の上部操作部材１６が上下動自在に配設されている。  そのコンタクトピン１５は、図１等に示すように、バネ性を有し、導電性に優れた材質で形成され、ソケット本体１３の載置部１３ａの外側位置に圧入されて配設されている。
【００１８】
詳しくは、コンタクトピン１５は、下部側に前記ソケット本体１３に固定される固定部１５ａが形成され、この固定部１５ａがソケット本体１３の開口部１３ｅに圧入固定されている。そして、この固定部１５ａから固定接片１５ｂ及び可動接片１５ｃが上方に向けて突設されている。
【００１９】
この固定接片１５ｂは、上端部に前記ＩＣリード１２ｂの下面に当接する固定側接触部１５ｄが形成されている。
【００２０】
また、可動接片１５ｃは、円弧状に湾曲するバネ部１５ｅが形成され、このバネ部１５ｅの上側に略水平にソケット本体１３中央部側に向けて延びる水平部１５ｆが形成され、この水平部１５ｆから斜め上方に延びる傾斜部１５ｇが形成され、更に、この傾斜部１５ｇの上端部からソケット本体１３中央部側に向けて水平に可動側接触部１５ｈが延設されている。この可動側接触部１５ｈが前記ＩＣリード１２ｂ上面に当接してこれを下方に押圧することにより、前記固定接片１５ｂの固定側接触部１５ｄとでＩＣリード１２ｂが挟持されるように構成されている。さらに、このコンタクトピン１６には、詳細を後述する上部操作部材１６により押圧される操作辺１５ｉが前記水平部１５ｆと分岐して上方に延設されている。しかも、前記固定部１５ａの下側には、図示省略のプリント配線板に接続されるリード部１５ｊが形成されている。
【００２１】
また、前記上部操作部材１６は、図１，図３等に示すように、ＩＣパッケージ１２の形状に対応して長方形の枠形状を呈し、ＩＣパッケージ１２が挿入可能な大きさの開口１６ａ（ＩＣソケットの間口）を有し、この開口１６ａを介してＩＣパッケージ１２が挿入されて、ソケット本体１３の載置部１３ａの上側に載置されるようになっている。この上部操作部材１６は、ソケット本体１３に対して上下動自在に配設され、コンタクトピン１５により上方に付勢されると共に、最上昇位置で、係止爪１６ｈがソケット本体１３の被係止部に係止され、上部操作部材１６の外れが防止されるようになっている。
【００２２】
さらに、この上部操作部材１６には、長方形状の相対向する長辺部１６ｂの外側面側に、前記コンタクトピン１５の操作片１５ｉに摺接するカム部１６ｃが形成され、この上部操作部材１６を下降させることにより、そのコンタクトピン１５の操作片１５ｉがそのカム部１６ｃに押圧されて、バネ部１５ｅが弾性変形され、可動側接触部１５ｈが斜め外側に向けて変位されるようになっている。
【００２３】
さらにまた、この上部操作部材１６の長辺部１６ｂには、前記コンタクトピン１５からの反力による長辺部１６ｂの内側への変形を抑える「変形抑止手段」としての変形抑止リブ１６ｄが複数形成されている。
【００２４】
この変形抑止リブ１６ｄは、図６等に示すように、各長辺部１６ｄの内側面側で、長手方向の中央部付近に、３つを１組とした２組（計６つ）が形成されている。これら変形抑止リブ１６ｄには、図１等に示すように、傾斜面部１６ｅと垂直面部１６ｆが形成され、上部操作部材１６を下降させたときにそれらが前記ソケット本体１３の隔壁部１３ｃを摺動することにより、上部操作部材長辺部１６ｂの内側への撓み変形が抑止されるようになっている。
【００２５】
しかも、各変形抑止リブ１６ｄの間にコンタクトピン１５の可動接片１５ｃが挿入されるようになっている。
【００２６】
次に、かかる構成のＩＣソケット１１の使用方法について説明する。
【００２７】
まず、予め、ＩＣソケット１１のコンタクトピン１５のリード部１５ｊをプリント配線板の挿通孔に挿入して半田付けすることにより、プリント配線板上に複数のＩＣソケット１１を配設しておく。
【００２８】
そして、かかるＩＣソケット１１にＩＣパッケージ１２を例えば自動機により以下のようにセットして電気的に接続する。
【００２９】
すなわち、自動機により、ＩＣパッケージ１２を保持した状態で、上部操作部材１６をコンタクトピン１５の付勢力に抗して下方に押圧して下降させる。すると、この上部操作部材１６のカム部１６ｃにより、コンタクトピン操作片１５ｉが押圧されて、バネ部１５ｅが弾性変形され、可動側接触部１５ｈが斜め上方に変位されて最大限に開かれ、ＩＣパッケージ１２挿入範囲から退避される（図２参照）。
【００３０】
この際には、コンタクトピン１５の操作片１５ｉからの反力により、上部操作部材１６の長辺部１６ｂが内側に向けて押圧されるが、従来と異なり、以下のようにして、最下降位置での長辺部１６ｂの撓み変形が防止される。
【００３１】
すなわち、上部操作部材１６の下降途中で、多少撓んだ時には、変形抑止リブ１６ｄの傾斜面部１６ｅがソケット本体隔壁部１３ｃの角部に摺接する。そして、さらに上部操作部材１６を下降させることにより、変形抑止リブ１６ｄの垂直面部１６ｆが、ソケット本体隔壁部１３ｃの垂直面部１３ｇを摺動する。この変形抑止リブ１６ｄとソケット本体隔壁部１３ｃとの当接により、コンタクトピン１５からの反力が変形防止リブ１６ｄを介してソケット本体１３で負担されることから、その上部操作部材１６の長辺部１６ｂの内側への撓み変形が抑止されることとなる。
【００３２】
従って、上部操作部材１６の長辺部１６ｂの肉厚を全体的に厚くすることなく、上部操作部材１６の最下降位置（最大押込み位置）での撓み変形を抑止できることから、ＩＣソケット１１を大型化することなく、コンタクトピン可動側接触部１５ｈの開き量を確保することができる。
【００３３】
特に、かかる変形抑止リブ１６ｄが長辺部１６ｂの長手方向中央部付近に形成されているため、この付近の変形量が大きいことから、ここに変形抑止リブ１６ｄを形成して変形を抑止することは極めて有効である。
【００３４】
そして、この状態で、自動機からＩＣパッケージ１２を開放し、ソケット本体１３の載置部１３ａ上に載置する。
【００３５】
次いで、自動機による上部操作部材１６の押圧力を解除すると、この上部操作部材１６がコンタクトピン１５の弾性力等により上昇し、バネ部１５ｅの弾性力により、コンタクトピン１５の可動接片１５ｃが戻り始める。そして、この上部操作部材１６が所定位置まで上昇した時点で、コンタクトピン１５の可動側接触部１５ｈが、位置決めされたＩＣパッケージ１２の所定のＩＣリード１２ｂの上面に当接して電気的に接続されることとなる。
【００３６】
［発明の実施の形態２］
図７には、この発明の実施の形態２を示す。
【００３７】
この発明の実施の形態２は、変形抑止リブ２６ｄが、実施の形態１の変形抑止リブ１６ｄと異なっている。
【００３８】
すなわち、この変形抑止リブ２６ｄは、実施の形態１の変形抑止リブ１６ｄより下方に長く形成され、上部操作部材１６の最上昇位置においても、その変形抑止リブ２６ｄの垂直面部２６ｅが、ソケット本体１３の隔壁部１３の垂直面部に摺接している。
【００３９】
従って、上部操作部材１６を下降させる前の状態で既に、ソケット本体１３にガイドされており、上部操作部材１６上下動時のガイド機能が発揮されると共に、勿論、上部操作部材長辺部１６ｂの変形も抑止することができる。
【００４０】
他の構成及び作用は実施の形態１と同様であるので説明を省略する。
【００４１】
［発明の実施の形態３］
図８には、この発明の実施の形態３を示す。
【００４２】
この発明の実施の形態３の変形抑止リブ３６ｄには、傾斜面部３６ｅが形成される一方、ソケット本体隔壁部１３ｃにも傾斜面部１３ｆが形成されている。
【００４３】
これにより、上部操作部材１６の長辺部１６ｂが内側に撓み変形していると、最下降位置直前で、変形抑止リブ３６ｄの傾斜面部３６ｅが、ソケット本体隔壁部１３ｃの傾斜面部１３ｆに摺接する。そして、更に、上部操作部材１６を下降させることにより、変形抑止リブ３６ｄの傾斜面部３６ｅが、ソケット本体隔壁部１３ｃの傾斜面部１３ｆに沿って摺動し、長辺部１６ｂの撓み変形が抑止される。
【００４４】
他の構成及び作用は実施の形態１と同様であるので説明を省略する。
【００４５】
［発明の実施の形態４］
図９には、この発明の実施の形態４を示す。
【００４６】
この発明の実施の形態４の変形抑止リブ４６ｄには、Ｒ部４６ｅが形成されている。
【００４７】
これにより、上部操作部材１６の長辺部１６ｂが内側に撓み変形していると、最下降位置直前で、変形抑止リブ４６ｄのＲ部４６ｅが、ソケット本体隔壁部１３ｃの角部に摺接する。そして、更に、上部操作部材１６を下降させることにより、変形抑止リブ４６ｄのＲ部４６ｅが、ソケット本体隔壁部１３ｃの角部を摺動して乗り越え、変形抑止リブ４６ｄの垂直面部４６ｆがソケット本体１３の隔壁部１３ｃの垂直面部１３ｇを摺動し、長辺部１６ｂの撓み変形が抑止される。
【００４８】
他の構成及び作用は実施の形態１と同様であるので説明を省略する。
【００４９】
なお、上記各実施の形態では、「変形抑止手段」としての変形抑止リブ１６ｄ…が上部操作部材１６に形成されているが、ソケット本体側から変形抑止リブを延長して、上部操作部材に当接して撓み変形を抑止するようにすることもできる。また、上部操作部材とソケット本体の両方から変形抑止リブを延長して当接するようにして、上部操作部材に当接して撓み変形を抑止するようにすることもできる。さらに、コンタクトピンからの反力が上部操作部材に対して、ソケット本体の内側から外側に向けて作用するようなものにおいては、上部操作部材の外側への撓み変形を抑止するため、ソケット本体から上方に向けて変形抑止部を延長し、上部操作部材の外側面に当接させたり、又、上部操作部材から下方に変形抑止部を延長し、この変形抑止部の外側面に当接する部分をソケット本体側に形成することもできる。また、上記各実施の形態では、ＩＣパッケージが相対向する２辺から側方に向けてＩＣリードが突出したものに対応した電気部品用ソケットにこの発明を適用したが、これに限らず、相対向する各２辺の全４辺にＩＣリードが突出したＩＣパッケージに対応する電気部品用ソケットにこの発明を適用することも可能である。さらにまた、上記各実施の形態では、「電気部品用ソケット」としてＩＣソケット１１に、この発明を適用したが、これに限らず、他の装置にも適用できることは勿論である。また、上記各実施の形態のコンタクトピン１５は、可動接片１５ｃ及び固定接片１５ｂが形成された、いわゆる２ポイント接触式のものであったが、これに限らず、固定接片１５ｂが形成されておらず、可動接片１５ｃのみ形成されているものでも良い。さらにまた、ＩＣリード１２ｂ（端子）の形状も、いわゆるガルウイングタイプに限らず、ストレートタイプ等にも適用できることは言うまでもない。
【００５０】
【発明の効果】
以上説明してきたように、各請求項に記載の発明によれば、変形抑止手段を設けることにより、装置を大型化することなく、上部操作部材に下降時の撓み変形を抑止でき、コンタクトピンの開き量を確保することができる。
【００５１】
請求項４に記載の発明によれば、上記効果に加え、変形抑止リブは、四角形の枠形状の操作部材の一辺の長手方向中央部に形成したため、変形量の大きい所を抑えることで、より効果的に変形を抑止できる、という実用上有益な効果を発揮する。
【図面の簡単な説明】
【図１】この発明の実施の形態１に係るＩＣソケットの半断面図である。
【図２】同実施の形態１に係る上部操作部材の最大押込み時における図１に相当する半断面図である。
【図３】同実施の形態１に係る上部操作部材の平面図である。
【図４】同実施の形態１に係る図３のＡ−Ａ線に沿う断面図である。
【図５】同実施の形態１に係る図３のＢ−Ｂ線に沿う断面図である。
【図６】同実施の形態１に係る上部操作部材の裏面図である。
【図７】この発明の実施の形態２に係る要部断面図である。
【図８】この発明の実施の形態３に係る要部断面図である。
【図９】この発明の実施の形態４に係る要部断面図である。
【符号の説明】
11  ＩＣソケット（電気部品用ソケット）
12  ＩＣパッケージ（電気部品）
12a パッケージ本体
12b ＩＣリード（端子）
13  ソケット本体
13a 載置部
13b ガイド部
13c 隔壁部
13d スリット
13f 傾斜面部
15  コンタクトピン
15c 可動接片
15e バネ部
15h 可動側接触部
15i 操作片
16  上部操作部材
16b 長辺部
16c カム部
16d,26d,36d,46d 変形抑止リブ
【図１】
0003700903.tif 000002
【図２】
0003700903.tif 000003
【図３】
0003700903.tif 000004
【図４】
0003700903.tif 000005
【図５】
0003700903.tif 000006
【図６】
0003700903.tif 000007
【図７】
0003700903.tif 000008
【図８】
0003700903.tif 000009
【図９】
0003700903.tif 000010